(57)【要約】【課題】  章区切りモード、仕切り紙モードを適正に実行することが可能な画像形成装置を提供する。【解決手段】  章区切りモードと仕切り紙モードを有する画像形成装置において、仕切り紙モード時の仕切り紙が章区切りモードで使用されるタブ紙の場合は、画像形成ユニット４の動作を停止する制御を行う制御手段１を備えた。【選択図】        図１
2007171795.tif 000002
【特許請求の範囲】
【請求項１】
章区切りモードと仕切り紙モードを有する画像形成装置において、前記仕切り紙モード時の仕切り紙が前記章区切りモードで使用されるタブ紙の場合は、画像形成ユニットの動作を停止する制御を行う制御手段を備えたことを特徴とする画像形成装置。
【請求項２】
前記章区切りモードと仕切り紙モードを有する画像形成装置において、前記仕切り紙モード時の仕切り紙が前記章区切りモードで使用されるタブ紙の場合、タブ紙を使用するジョブの有無をチェックし、タブ紙を使用するジョブがある場合は、画像形成ユニットの動作を停止する制御を行う制御手段を備えたことを特徴とする画像形成装置。
【請求項３】
前記章区切りモードと仕切り紙モードを有する画像形成装置において、前記仕切り紙モード時の仕切り紙が前記章区切りモードで使用されるタブ紙の場合、タブ紙を使用するジョブの有無をチェックし、タブ紙を使用するジョブがある場合は、複数の仕切り紙トレイのうちタブ紙でない仕切り紙トレイを優先選択する制御を行う制御手段を備えたことを特徴とする画像形成装置。
【請求項４】
請求項３記載の画像形成装置において、複数の仕切り紙トレイのいずれもタブ紙である場合、前記制御手段は画像形成ユニットの動作を停止することを特徴とする画像形成装置。
【発明の詳細な説明】
【技術分野】
【０００１】
本発明は、章区切りモード及び仕切り紙モードを有する画像形成装置に関する。
【背景技術】
【０００２】
章の区切りに合紙を挿入する章区切りモード、部の区切りやジョブの区切りに白紙を挿入する仕切り紙モードを有する画像形成装置が普及している。章区切りモードに使用される合紙としては色紙以外にタブ紙がある。例えば１部の章が５つある原稿をコピーするには５つの異なったタブ紙が順番にセットされている給紙トレイを選択する。
【発明の開示】
【発明が解決しようとする課題】
【０００３】
ところで、部の区切りやジョブの区切りに白紙を挿入する仕切り紙モードの動作に際し、誤って仕切り紙として章区切りモード用のタブ紙を使用してしまうと、タブ紙を本来の目的である章区切りモードに使用する際、正常の位置で章区切りができない事態が生じるおそれがあった。
本発明は、章区切りモード、仕切り紙モードを適正に実行することが可能な画像形成装置を提供することを目的とする。
【課題を解決するための手段】
【０００４】
上記目的を達成するために、請求項１記載の発明は、章区切りモードと仕切り紙モードを有する画像形成装置において、仕切り紙モード時の仕切り紙が章区切りモードで使用されるタブ紙の場合は、画像形成ユニットの動作を停止する制御を行う制御手段を備えた画像形成装置を最も主要な特徴とする。
請求項２記載の発明は、章区切りモードと仕切り紙モードを有する画像形成装置において、仕切り紙モード時の仕切り紙が章区切りモードで使用されるタブ紙の場合、タブ紙を使用するジョブの有無をチェックし、タブ紙を使用するジョブがある場合は、画像形成ユニットの動作を停止する制御を行う制御手段を備えた画像形成装置を最も主要な特徴とする。
請求項３記載の発明は、章区切りモードと仕切り紙モードを有する画像形成装置において、仕切り紙モード時の仕切り紙が章区切りモードで使用されるタブ紙の場合、タブ紙を使用するジョブの有無をチェックし、タブ紙を使用するジョブがある場合は、複数の仕切り紙トレイのうちタブ紙でない仕切り紙トレイを優先選択する制御を行う制御手段を備えた画像形成装置を最も主要な特徴とする。
請求項４記載の発明は、請求項３記載の画像形成装置において、複数の仕切り紙トレイのいずれもタブ紙である場合、制御手段は画像形成ユニットの動作を停止する画像形成装置を主要な特徴とする。
【発明の効果】
【０００５】
本発明は、章区切りモードと仕切り紙モードを有する画像形成装置において、仕切り紙モード時の仕切り紙が章区切りモードで使用されるタブ紙の場合は、画像形成ユニットの動作を停止する制御を行う制御手段を備えたので、章区切りモード、仕切り紙モードを適正に実行することが可能となる。
【発明を実施するための最良の形態】
【０００６】
以下、本発明の実施形態を図面に従って説明する。
図１は本発明の実施形態に係る画像形成装置の機能ブロック図である。本画像形成装置は、ＣＰＵ（制御手段）１を中心に操作表示ユニット２、給紙トレイ検知部３、画像形成ユニット４を備えている。
そして、操作表示ユニット２は、章区切りモードキー２１、仕切り紙モードキー２２、表紙モードキー２３、給紙トレイ選択キー２４、表示部２５を有する。給紙トレイには専用の用紙が入っているものとする。従って給紙トレイを選択するということは、中に入っている特定の用紙（白紙、色紙、タブ紙など）を選択するということになる。表紙モードとは部の先頭及び部の最終の用紙を別途容易した表紙に置き換えるモードである。
【０００７】
次に本発明の制御動作（仕切り紙モード設定の際におけるタブ紙の取り扱い）について説明する。
図２は本発明の画像形成装置における第１の制御例を示すフローチャートである。ジョブ開始要求があると（Ｓ１でＹ）、仕切り紙モードが設定されているか判断する（Ｓ２）。仕切り紙モードが設定されていれば、仕切り紙がタブ紙であるか判断する（Ｓ３）。
仕切り紙がタブ紙であればジョブは中断する（Ｓ４）。つまり、ＣＰＵ１は画像形成ユニット４を不作動にする。この際、その旨、操作表示ユニット２の表示部２５に表示してもよい。仕切り紙モードが設定されていなければ、ジョブを実行する（Ｓ５）。
図３は本発明の画像形成装置における第２の制御例を示すフローチャートである。ジョブ開始要求があると（Ｓ１でＹ）、仕切り紙モードが設定されているか判断する（Ｓ２）。仕切り紙モードが設定されていれば、仕切り紙がタブ紙であるか判断する（Ｓ３）。
仕切り紙がタブ紙であれば、ジョブでタブ紙を使用するかどうか調べる（Ｓ４）。タブ紙を使用する場合は（Ｓ５でＹ）、ジョブは中断する（Ｓ６）。仕切り紙モードが設定されていなければ、ジョブを実行する（Ｓ７）。
図４はジョブ内のタブ紙使用有無チェックのフローチャートである。給紙トレイにタブ紙が入っていれば（Ｓ１でＹ）タブ紙を使用する。章区切りモードで（Ｓ２でＹ）、章区切りトレイにタブ紙が入っていれば（Ｓ３でＹ）タブ紙を使用する。また表紙モードで（Ｓ４でＹ）、表紙トレイにタブ紙が入っていれば（Ｓ５でＹ）タブ紙を使用する。
【０００８】
図５は本発明の画像形成装置における第３の制御例を示すフローチャートである。ジョブ開始要求があると（Ｓ１でＹ）、仕切り紙モードが設定されているか判断する（Ｓ２）。仕切り紙モードが設定されていれば、仕切り紙がタブ紙であるか判断する（Ｓ３）。仕切り紙がタブ紙であれば、ジョブでタブ紙を使用するかどうか調べる（Ｓ４）。
タブ紙を使用する場合は（Ｓ５でＹ）、仕切紙の用紙を調べ、タブ紙でない仕切紙が設定されていれば、その用紙を使って（Ｓ６でＹの場合はＳ７、Ｓ６でＮの場合はＳ８）ジョブを実行する（Ｓ９）。仕切り紙モードが設定されていなければ、仕切し紙トレイが２つあるとして、まず仕切し紙トレイ１がタブ紙を使っているか判断する（Ｓ６）。
使っていればもう１つの仕切し紙トレイ２を使って（Ｓ７）、また仕切し紙トレイ１がタブ紙を使っていなければ、仕切し紙トレイ１を使って（Ｓ８）ジョブを実行する（Ｓ９）。仕切り紙モードが設定されていなければ、ジョブを実行する（Ｓ９）。この例では仕切し紙トレイ２に収容されている用紙がタブ紙の場合もあれば、そうでない場合もある。
図６は本発明の画像形成装置における第４の制御例を示すフローチャートである。図５との違いは、仕切り紙トレイ２の用紙も判断する（Ｓ７）点である。仕切り紙トレイ２の用紙がタブ紙でない場合にのみ仕切り紙トレイ２を選択して（Ｓ８）、ジョブを実行する（Ｓ１０）。仕切り紙トレイ２の用紙がタブ紙であった場合はジョブを中断する（Ｓ１１）。
【図面の簡単な説明】
【０００９】
【図１】本発明の実施形態に係る画像形成装置の機能ブロック図。
【図２】本発明の画像形成装置における第１の制御例を示すフローチャート。
【図３】本発明の画像形成装置における第２の制御例を示すフローチャート。
【図４】ジョブ内のタブ紙使用有無チェックのフローチャート。
【図５】本発明の画像形成装置における第３の制御例を示すフローチャート。
【図６】本発明の画像形成装置における第４の制御例を示すフローチャート。
【符号の説明】
【００１０】
１  ＣＰＵ（制御手段）
４  画像形成ユニット
【図１】
2007171795.tif 000003
【図２】
2007171795.tif 000004
【図３】
2007171795.tif 000005
【図４】
2007171795.tif 000006
【図５】
2007171795.tif 000007
【図６】
2007171795.tif 000008